(57)【要約】【課題】廃棄物収納用容器の必要十分な密閉性を確保すると共に、上段に安定して容器本体を積み上げることができるようにし、運搬中等に倒壊する等のおそれがないようにする。【解決手段】ネスティング可能なるように底部１１が幅狭で開口部１２がテーパ状に幅広となるように成形された略角箱状の容器本体１０と、該容器本体の開口部を覆う略矩形の蓋体２０とからなり、容器本体の開口部の外周に係合用突条１３が一体に形成され、蓋体２０の周縁には前記係合用突条に係合する断面逆Ｕ字形の挟着フランジ２２が一体に形成され、該蓋体の挟着フランジの内周に低めの段差部２３を形成すると共に、該段差部に該蓋体の四隅角部の近接部位でのみ限定的に高く隆起する高段差部２４を形成することにより、上段に積み上げられる容器本体１０の底部１１外側面を該高段差部に当接させ倒壊が防止されるようにした。【選択図】図１
2008074568.tif 000002
【特許請求の範囲】
【請求項１】
ネスティング可能なるように底部が幅狭で開口部がテーパ状に幅広となるように成形された略角箱状の容器本体と、該容器本体の開口部を覆う略矩形の蓋体とからなり、容器本体の開口部の外周に係合用突条が一体に形成され、蓋体の周縁には前記係合用突条に係合する断面逆Ｕ字形の挟着フランジが一体に形成され、該蓋体の挟着フランジの内周に低めの段差部を形成すると共に、該段差部に該蓋体の四隅角部の近接部位でのみ限定的に高く隆起する高段差部を形成することにより、上段に積み上げられる容器本体の底部外側面を該高段差部に当接させ倒壊が防止されるようにしたことを特徴とする廃棄物収納用容器。
【請求項２】
上辺が内向きに下傾する三角形状の案内リブを挟着フランジの内側面から高段差部の上面に亘って蓋体に一体に形成した請求項１に記載した廃棄物収納用容器。
【発明の詳細な説明】
【技術分野】
【０００１】
この発明は、医療廃棄物、廃油、廃酸等の外部に漏れ出すと危険な廃棄物を収納し運搬するための容器に関するものである。
【背景技術】
【０００２】
医療施設から排出される、使用済みの注射器、患者の血液、薬液等が付着したガーゼ、脱脂綿等の医療廃棄物を収納し、処理場に運搬するのに使用されるプラスチック製の蓋付き容器には一般に次のような特性が要求される。
第１：運搬中の大きな振動や衝撃によっても倒壊することのないように容器が上下段に安定して積み重ねられる構造であること。
第２：振動や衝撃により蓋が外れて廃棄物を散乱させたり、或いは倒壊しても蓋と容器との隙間から薬液等の危険な液体が洩れ出すことのないように、容器の開口部に蓋が確実に密着されること。
第３：容器を医療施設等へ運搬する際および保管時等に嵩張ることのないものであること。そのために、容器は底部が幅狭で開口部がテーパ状に幅広となるように成形され、ネスティング（重ね合わせ）が可能な構造であること。
【０００３】
そのために、図１４に示したように、容器ａの開口部の外周に係合用突条ｂが一体に形成され、蓋ｃの周縁には前記係合用突条に係合する断面逆Ｕ字形の挟着フランジｄが一体に形成され、該挟着フランジの内周に段差部ｅを形成し、上段に積み上げられる容器ｆの底部が該段差部ｅの内側に遊嵌されるようにしている。なお、ｇは挟着フランジｄの内側に形成された係合用突条、ｈは挟着フランジｄ内における該係合用突条ｇの内側に装填された弾性パッキンである。
しかしこの構造では、段差部ｅの高さＸが十分に高くないと、振動や衝撃により上段の容器ｆが該段差部ｅ上に乗り上がってしまい倒壊するおそれがある。ところが、この高さＸを高くすると挟着フランジｄが容器ａの内面と接する幅Ｙが必然的に狭くなるため、倒壊時等に蓋ｃに例えば外力Ｇが掛かって挟着フランジｄが矢印Ｈ方向に変形すると該蓋ｃが外れ易くなり、廃棄物を周囲に撒き散らしたり、液洩れを起こすおそれがあった。
【０００４】
下記特許文献１，２に示された容器では、容器本体の底面および蓋にそれぞれ凹凸を形成し、該凹凸を嵌合させることにより段積み時のガタ止めが行われるようにしている。
また、下記特許文献３に示された容器は、蓋の周縁フランジに内方に向かう規制リブを適宜間隔で形成し、該規制リブに上段の容器の底部側面を当接させることにより、ガタ止めすることを意図するものである。
【特許文献１】実公平８−４４２３号公報
【特許文献２】実用新案登録番号第２５０４５３５号公報
【特許文献３】特開２０００−３１３４５９号公報
【発明の開示】
【発明が解決しようとする課題】
【０００５】
しかしながら、特許文献１，２に示された容器では、ガタ止めとなり得るような深い凹凸を設けると、廃棄物を収容し得る内容量が減少するという問題があり、容器底面に係合用のリブを設ける場合も背高になる割に内容量が減少するという問題がある。
また、特許文献３に示された容器では、上段に積み上げた容器本体の側面が規制リブの狭い面積に接するので、該容器本体側面が変形するおそれがあると共に、多数の規制リブを設けるとその根本部分に付着した塵や液体等の汚れが落ち難くなるので、衛生的でないという問題がある。
そこで、この発明は、ネスティング可能な容器であって、安定して積み重ねられ、蓋が外れたり液洩れするおそれがなく、上記第１〜第３の特性を総て満たし得る廃棄物収納用容器を提供しようとするものである。
【課題を解決するための手段】
【０００６】
上記課題を解決するため、請求項１に記載した発明は、ネスティング可能なるように底部が幅狭で開口部がテーパ状に幅広となるように成形された略角箱状の容器本体と、該容器本体の開口部を覆う略矩形の蓋体とからなり、容器本体の開口部の外周に係合用突条が一体に形成され、蓋体の周縁には前記係合用突条に係合する断面逆Ｕ字形の挟着フランジが一体に形成され、該蓋体の挟着フランジの内周に低めの段差部を形成すると共に、該段差部に該蓋体の四隅角部の近接部位でのみ限定的に高く隆起する高段差部を形成することにより、上段に積み上げられる容器本体の底部外側面を該高段差部に当接させ倒壊が防止されるようにしたことを特徴とする。
また請求項２に記載した発明は上記廃棄物収納用容器において、上辺が内向きに下傾する三角形状の案内リブを挟着フランジの内側面から高段差部の上面に亘って蓋体に一体に形成したことを特徴とする。
【発明の効果】
【０００７】
請求項１に記載した発明では、容器本体の底部形状の如何に拘わらず蓋体上に常に安定して積み上げることができ、運搬中等に倒壊するおそれを少なくできる。また、密閉性を損なうことなく、たとえ倒壊しても液洩れ、散乱等を起こすおそれがない。
請求項２に記載した発明では、積み上げ作業を一層容易にする。
【発明を実施するための最良の形態】
【０００８】
次にこの発明の実施形態を図面に従い説明する。図１はこの発明に係る廃棄物収納用容器の容器本体１０と蓋体２０との分解斜視図である。容器本体１０は、図８〜図１１にも示したように、底部１１が幅狭で開口部１２がテーパ状に幅広なるように略角箱状にプラスチックの射出成形により形成されたもので、該開口部１２の外周に係合用突条１３を一体に形成している。なお、１４は容器本体１０の上端縁寄り外周に一体に形成された補強用鍔、１５は該補強用鍔の一部に形成された把手部である。また、１６は該容器本体１０の上部隅角外面に一体に形成された縦リブで、該縦リブは補強のためだけでなく該容器本体１０どうしをネスティングした際にその嵌合量を制限し得るストッパーとしての機能がある。
【０００９】
また、容器本体１０の開口部１２を覆う蓋体２０は、プラスチックの射出成形により形成された略矩形のもので、図２〜図６にも示したように、周縁に断面逆Ｕ字形の挟着フランジ２２が一体に形成され、該挟着フランジ２２の内側に前記係合用突条１３に係合する係合用突条２１が突設される。また、該蓋体２０における挟着フランジ２２の内周に、図４，図５に示した高さＬが５ｍｍ程の低めの段差部２３を形成すると共に、該段差部に該蓋体２０の四隅角部の近接部位でのみ限定的に高く隆起させることにより、図示した高さＨが１０ｍｍ程の高段差部２４を形成する。なお、このように段差部２３の蓋体２０における四隅角部に近接する部位は、図３の平面図に示されるように、計８個所あることとなるので、言い換えれば、高段差部２４は段差部２３上であって蓋体２０の四隅角部と４辺の中間部を除く部位に計８個所形成されることとなる。
【００１０】
また、２５は挟着フランジ２２の内側面から高段差部２４の上面に亘って形成された上辺が内向きに下傾する三角形状の案内リブである。また、２６は挟着フランジ２２の四隅角部の内側面から段差部２３の上面に亘って形成された補強リブで、該補強リブは図６にも示したように上辺が水平な角形に形成されている。このため、図７に示したように、蓋体どうしを上下に重ねたときに該補強リブ上に上段の蓋体が乗ることで傾斜することなく積み重ねられる。なお、蓋体２０の中央には摘子となる一対の凹部２７が形成されている。また、２８は挟着フランジ２２内における前記係合用突条２１の内側に装填された弾性パッキンである。
【００１１】
このように構成した蓋体２０は、廃棄物が収納された容器本体１０の開口部１２に被せ、その周縁部を押し下げることにより、その押圧力で挟着フランジ２２が一時的に弾性変形し、図８〜図１１に示したように、係合用突条１３が該挟着フランジ２２内の係合用突条２１に係合し密閉状態となる。そのとき、図１０に図８のＤ−Ｄ線断面図を示したように、蓋体２０の四隅角部に近接した部位では挟着フランジ２２が容器本体１０の内面と接する幅Ｖは狭いものとなるが、蓋体２０の四隅角部と４辺の中間部では、図１１に図８のＥ−Ｅ線断面図を示したように、挟着フランジ２２が容器本体１０の内面と接する幅Ｗを広く確保することができる。このため４辺の中間部における密閉性を十分になものとすることができ、容器本体１０の４辺の中間部が他の部位に比べて剛性が劣ることから倒壊時等に最も変形量が最も大きい部位であるが、そのような変形時においても密閉性が保たれ、液洩れを防ぐことができる。このように高段差部２４は蓋体２０の四隅角部の近接部位でのみ限定的に高く隆起するものであるので、必要十分な密閉性が確保される。
【００１２】
そして、図１２に示したように、蓋体２０上に同形の容器本体１０を積み上げたときは、該容器本体１０の底部１１外側面が該高段差部２４に当接することで該容器本体１０の横滑りが規制され、真っ直ぐに積み上げられるので、運搬時、保管時等に多段に積み重ねても倒壊するおそれが少なくできる。また、高段差部２４は要するに上段に積み上げられる容器本体１０を囲うように８個所形成されていることから、負荷が集中することなく運搬時の振動等により変形するおそれがない。また、ここに図示したように、上段に積み重ねられる容器本体１０が、その底部１１外側面のＲ寸法、即ち、曲率半径が大きいものであったとしても、十分な高さの高段差部２４によって規制されることから、このように容器の底部形状が様々であっても確実に倒壊を防止することができ、常に安定した積み上げが可能となる。また、このように高段差部２４を形成することによっては、リブのように根本部に塵や液体が付着して汚れが落ち難くなるようなことがないので、洗浄も容易になり衛生的でもある。
【００１３】
また、積み上げ作業時に上段の容器本体１０が多少ずれて乗せられた場合に、図１３に示したように、該容器本体１０の底部１１外側面が三角形状の案内リブ２５に当たり自然と真中にガイドされるので、容易に真直に積み上げることができる。このように案内リブ２５を設けることにより積み上げ作業を容易にする。
【図面の簡単な説明】
【００１４】
【図１】この発明の実施形態を示す廃棄物収納用容器の分解斜視図。
【図２】この発明の実施形態を示す廃棄物収納用容器の蓋体の斜視図。
【図３】この発明の実施形態を示す廃棄物収納用容器の蓋体の平面図。
【図４】図３のＡ−Ａ線断面図。
【図５】図３のＢ−Ｂ線断面図。
【図６】図３のＣ−Ｃ線断面図。
【図７】蓋体を重ねたときの断面図。
【図８】この発明の実施形態を示す廃棄物収納用容器の斜視図。
【図９】この発明の実施形態を示す廃棄物収納用容器の縦断面図。
【図１０】図８のＤ−Ｄ線断面図。
【図１１】図８のＥ−Ｅ線断面図。
【図１２】この発明に係る容器を積み重ねたときの縦断面図。
【図１３】この発明に係る容器を積み重ねる過程を示す縦断面図。
【図１４】この発明の背景技術説明用の容器を積み重ねたときの縦断面図。
【符号の説明】
【００１５】
１０    容器本体
１１    底部
１２    開口部
１３    係合用突条
２０    蓋体
２１    係合用突条
２２    挟着フランジ
２３    段差部
２４    高段差部
２５    案内リブ
【図１】
2008074568.tif 000003
【図２】
2008074568.tif 000004
【図３】
2008074568.tif 000005
【図４】
2008074568.tif 000006
【図５】
2008074568.tif 000007
【図６】
2008074568.tif 000008
【図７】
2008074568.tif 000009
【図８】
2008074568.tif 000010
【図９】
2008074568.tif 000011
【図１０】
2008074568.tif 000012
【図１１】
2008074568.tif 000013
【図１２】
2008074568.tif 000014
【図１３】
2008074568.tif 000015
【図１４】
2008074568.tif 000016